(57)【特許請求の範囲】
【請求項１】
装置本体と、
現像剤像を担持する感光体と、前記感光体に供給される現像剤を担持する現像剤担持体を有し前記装置本体に対して着脱可能に設けられる現像ユニットとを備えるプロセスユニットと、
前記感光体に対して間隔を隔てて対向配置され、前記感光体を露光する露光部材と、
前記感光体と前記露光部材との間において前記露光部材を被覆する被覆位置と、前記感光体と前記露光部材との間から退避される退避位置とに移動可能な被覆部材と、
前記現像ユニットが前記装置本体に装着されたときに前記被覆部材を前記退避位置に配置させ、前記現像ユニットが前記装置本体から離脱されたときに前記被覆部材を前記被覆位置に配置させる変位部材とを備え、
前記被覆部材は、前記現像ユニットの着脱軌跡から退避されるように、前記退避位置へ移動されることを特徴とする、画像形成装置。
【請求項２】
装置本体と、
現像剤像を担持する感光体と、前記感光体に供給される現像剤を担持する現像剤担持体を有し前記装置本体に対して着脱可能に設けられる現像ユニットとを備えるプロセスユニットと、
前記感光体に対して間隔を隔てて対向配置され、前記感光体を露光する露光部材と、
前記感光体と前記露光部材との間において前記露光部材を被覆する被覆位置と、前記感光体と前記露光部材との間から退避される退避位置とに移動可能な被覆部材と、
前記現像ユニットが前記装置本体に装着されたときに前記被覆部材を前記退避位置に配置させ、前記現像ユニットが前記装置本体から離脱されたときに前記被覆部材を前記被覆位置に配置させる変位部材とを備え、
前記露光部材は、常には前記感光体に向かって付勢され、前記感光体に向かって突出する突出部材を備え、
前記被覆部材が前記退避位置に配置されているときには、前記突出部材が前記感光体へ向かう付勢力によって前記感光体に当接されることにより、所定の間隔を隔てて前記感光体に対向され、
前記被覆部材が前記被覆位置に配置されているときには、前記被覆部材が前記突出部材に当接されることにより、前記感光体へ向かう付勢力に抗して前記感光体から退避されることを特徴とする、画像形成装置。
【請求項３】
前記現像ユニットは、前記変位部材と係合する係合部を備え、
前記変位部材は、前記現像ユニットが前記装置本体に装着されたときに前記係合部に係合され、前記現像ユニットが前記装置本体から離脱されたときに前記係合部との係合が解除される被係合部を備えることを特徴とする、請求項１または２に記載の画像形成装置。
【請求項４】
前記変位部材は、常には、前記被覆部材を前記被覆位置へ向かって付勢することを特徴とする、請求項１ないし３のいずれか一項に記載の画像形成装置。
【請求項５】
前記被覆部材は、前記被覆部材に駆動力を入力する駆動ギヤを備え、
前記変位部材は、前記駆動ギヤに噛合する入力ギヤを備え、前記被覆部材を前記被覆位置へ移動させるように付勢されていることを特徴とする、請求項４に記載の画像形成装置。
【請求項６】
前記変位部材は、前記被覆部材を保持していることを特徴とする、請求項４に記載の画像形成装置。
【請求項７】
前記露光部材は、前記感光体の下に対向配置されていることを特徴とする、請求項１ないし６のいずれか一項に記載の画像形成装置。
【請求項８】
前記感光体は、前記現像ユニットの着脱方向と直交する方向に、互いに間隔を隔てて複数並列配置されていることを特徴とする、請求項１ないし７のいずれか一項に記載の画像形成装置。
【請求項９】
各前記感光体を保持し、前記装置本体に装着される装着位置と、前記装置本体から引き出される引出位置とに、前記並列方向に沿って移動可能な移動部材を備えていることを特徴とする、請求項８に記載の画像形成装置。
【請求項１０】
各前記感光体の並列方向に延び、各前記感光体に一方側から対向される無端ベルトを備え、
前記無端ベルトには、各前記感光体に担持される現像剤像が転写されることを特徴とする、請求項８または９に記載の画像形成装置。
【請求項１１】
装置本体と、
現像剤像を担持する感光体と、前記感光体に供給される現像剤を担持する現像剤担持体を有し着脱可能に設けられる現像ユニットとを備え、装置本体に装着される装着位置と装置本体から引き出される引出位置とにスライドするプロセスユニットと、
前記感光体に対して間隔を隔てて対向配置され、前記感光体を露光するＬＥＤアレイを有する露光部材と、
前記感光体と前記露光部材との間において前記露光部材を被覆する被覆位置と、前記感光体と前記露光部材との間から退避される退避位置とに移動可能な被覆部材と、
前記現像ユニットが前記引出位置のプロセスユニットに装着されたときに前記被覆部材を前記退避位置に配置させ、前記現像ユニットが前記引出位置のプロセスユニットから離脱されたときに前記被覆部材を前記被覆位置に配置させる変位部材と、
を備えることを特徴とする、画像形成装置。
【請求項１２】
装置本体と、
現像剤像を担持する感光体と、前記感光体に供給される現像剤を担持する現像剤担持体を有し着脱可能に設けられる現像ユニットとを備え、装置本体に装着される装着位置と装置本体から引き出される引出位置とにスライドするプロセスユニットと、
前記感光体に対して間隔を隔てて対向配置され、前記感光体を露光するＬＥＤアレイを有する露光部材とを有し、
前記プロセスユニットは、
前記感光体と前記露光部材との間において前記露光部材を被覆する被覆位置と、前記感光体と前記露光部材との間から退避される退避位置とに移動可能な被覆部材と、
前記現像ユニットが前記プロセスユニットに装着されたときに前記被覆部材を前記退避位置に配置させ、前記現像ユニットが前記プロセスユニットから離脱されたときに前記被覆部材を前記被覆位置に配置させる変位部材と、
を備えることを特徴とする、画像形成装置。
【発明の詳細な説明】
【技術分野】
【０００１】
本発明は、電子写真方式が採用される画像形成装置に関する。
【背景技術】
【０００２】
従来、電子写真方式のカラープリンタとして、イエロー、マゼンタ、シアン、ブラックの各色に対応して設けられる４つの感光ドラムを備えるカラープリンタが知られている。
【０００３】
このようなカラープリンタとして、例えば、感光ドラムと現像ユニット（現像ローラ、第１供給ローラ、第２供給ローラ、層厚規制ブレードおよびトナー収容部）とを有し、水平方向に並列配置される各色のプロセスカートリッジと、各感光ドラムを下方から露光する各ＬＥＤユニットと、各プロセスカートリッジの感光ドラムに上から接触されるように水平方向に延びる中間転写ベルトと、中間転写ベルトに水平方向一方から接触される２次転写ローラとを備えるカラー複合機が提案されている（たとえば、下記特許文献１参照。）。
【先行技術文献】
【特許文献】
【０００４】
【特許文献１】特開２００９−１５７１３５号公報
【発明の概要】
【発明が解決しようとする課題】
【０００５】
しかるに、上記した特許文献１に記載のカラー複合機では、各ＬＥＤユニットでは、ＬＥＤヘッドが露出されている。
【０００６】
そのため、例えば、感光ドラムの表面から脱落したトナーが付着したり、空気中の粉塵が堆積したりして、ＬＥＤヘッドが汚れる場合がある。
【０００７】
そこで、本発明の目的は、露光部材が汚れることを防止することができる画像形成装置を提供することにある。
【課題を解決するための手段】
【０００８】
上記した目的を達成するため、本発明は、画像形成装置であって、装置本体と、現像剤像を担持する感光体と、前記感光体に供給される現像剤を担持する現像剤担持体を有し前記装置本体に対して着脱可能に設けられる現像ユニットとを備えるプロセスユニットと、前記感光体に対して間隔を隔てて対向配置され、前記感光体を露光する露光部材と、前記感光体と前記露光部材との間において前記露光部材を被覆する被覆位置と、前記感光体と前記露光部材との間から退避される退避位置とに移動可能な被覆部材と、前記現像ユニットが前記装置本体に装着されたときに前記被覆部材を前記退避位置に配置させ、前記現像ユニットが前記装置本体から離脱されたときに前記被覆部材を前記被覆位置に配置させる変位部材とを備えることを特徴としている。
【発明の効果】
【０００９】
本発明によれば、現像ユニットが装置本体に装着されたときに、被覆部材を、感光体と露光部材との間から退避される退避位置に配置させ、現像ユニットが装置本体から離脱されたときに、被覆部材を、感光体と露光部材との間において露光部材を被覆する被覆位置に配置させる。
【００１０】
そのため、現像ユニットが装置本体から離脱されたときに、被覆部材によって露光部材を被覆することができる。
【００１１】
その結果、例えば、感光体の表面から脱落したトナーなどにより、露光部材が汚れることを防止することができる。
【図面の簡単な説明】
【００１２】
【図１】本発明の画像形成装置の第１実施形態としてのプリンタを示す中央断面図である。
【図２】図１に示すプロセスユニットの右前側から見た斜視図であって、ドラムフレームの一部を取り除いた状態を示す。
【図３】図１に示すプロセスカートリッジの着脱を説明する説明図であって、本体ケーシングからプロセスユニットを引き出した状態を示す。
【図４】図３に続いて、図１に示すプロセスカートリッジの着脱を説明する説明図であって、プロセスユニットから現像カートリッジを引き抜いた状態を示す。
【図５】現像カートリッジの着脱動作に対するＬＥＤカバーの連動を説明する説明図であって、プロセスユニットの中央断面図であり、（ａ）は、現像カートリッジが装着され、ＬＥＤカバーが開位置に配置されている状態を示し、（ｂ）は、現像カートリッジが離脱され、ＬＥＤカバーが閉位置に配置されている状態を示す。
【図６】現像カートリッジの着脱動作に対するＬＥＤカバーの連動を説明する説明図であって、プロセスユニットの正面から見た断面図であり、（ａ）は、現像カートリッジが装着され、ＬＥＤカバーが開位置に配置されている状態を示し、（ｂ）は、現像カートリッジが離脱され、ＬＥＤカバーが閉位置に配置されている状態を示す。
【図７】プリンタの第２実施形態を説明する説明図であって、（ａ）は、現像カートリッジが装着され、ＬＥＤカバーが開位置に配置されている状態を示し、（ｂ）は、現像カートリッジが離脱され、ＬＥＤカバーが閉位置に配置されている状態を示す。
【図８】プリンタの第３実施形態を説明する説明図であって、プロセスユニットが本体ケーシングに装着され、現像カートリッジの把持部材が下側へ退避している状態を示す。
【図９】プリンタの第３実施形態を説明する説明図であって、プロセスユニットが本体ケーシングから引き出され、現像カートリッジの把持部材が上側へ退避している状態を示す。
【図１０】プリンタの第４実施形態を説明する説明図であって、トップカバーが開位置に配置された状態を示す。
【図１１】プリンタの第５実施形態を説明する説明図であって、（ａ）は、プロセスカートリッジが装着され、ＬＥＤカバーが開位置に配置されている状態を示し、（ｂ）は、プロセスカートリッジが離脱され、ＬＥＤカバーが閉位置に配置されている状態を示す。
【発明を実施するための形態】
【００１３】
１．プリンタの全体構成
図１に示すように、画像形成装置の一例としてのプリンタ１は、横置きタイプの中間転写型カラープリンタである。
【００１４】
また、プリンタ１は、装置本体の一例としての本体ケーシング２と、本体ケーシング２の上に設けられ、原稿の画像情報を読み取るフラットベッドスキャナ３とを一体的に備える複合機である。
【００１５】
プリンタ１は、本体ケーシング２内において、用紙Ｐを給紙するための給紙部４と、給紙された用紙Ｐに画像を形成するための画像形成部５とを備えている。
（１）本体ケーシング
本体ケーシング２は、給紙部４および画像形成部５を収容する側面視略矩形状のボックス形状に形成されており、その一方側壁には、本体開口部６が形成されており、フロントカバー７が、その下端部を支点として揺動されることにより、本体開口部６を閉鎖（図１参照）または開放（図３参照）する。
【００１６】
なお、以下の説明において、フロントカバー７が設けられる側（図１における紙面左側）を前側とし、その反対側（図１における紙面右側）を後側とする。また、プリンタ１を前側から見たときを左右の基準とする。すなわち、図１の紙面手前側が右側であり、紙面奥側が左側である。
（２）給紙部
給紙部４は、用紙Ｐを収容する給紙トレイ８を備えている。給紙トレイ８は、本体ケーシング２内の底部に着脱自在に装着されている。
【００１７】
また、給紙部４には、給紙トレイ８の後端部上側に配置されるピックアップローラ１０と、ピックアップローラ１０の後側に配置される給紙ローラ１１と、給紙ローラ１１の下側に対向配置される給紙パッド１２と、給紙ローラ１１に後側から接触される上下１対のピンチローラ１３と、給紙ローラ１１の上側に配置され、互いに前後方向に対向される１対のレジストローラ１４とが設けられている。
【００１８】
そして、給紙トレイ８上の用紙Ｐは、ピックアップローラ１０の回転により、給紙ローラ１１と給紙パッド１２との間に送られ、給紙ローラ１１の回転により１枚ずつ捌かれる。その後、捌かれた用紙Ｐは、給紙ローラ１１の回転により、給紙ローラ１１と各ピンチローラ１３との間を順次通過するように、上側の両レジストローラ１４間に向けて給紙され、レジストローラ１４の回転により、所定のタイミングで、画像形成部５（中間転写ベルト３０（後述）と二次転写ローラ２７（後述）との間）に供給される。
（３）画像形成部
画像形成部５は、給紙部４の上側に配置されており、移動部材の一例としてのプロセスユニット１５、各色に対応する４つのＬＥＤユニット１６、転写ユニット１７および定着ユニット１８を備えている。
（３−１）プロセスユニット
プロセスユニット１５は、前後方向に投影したときにピックアップローラ１０と重なるように、ピックアップローラ１０の前側において、給紙トレイ８に上側から対向配置され、本体ケーシング２内に装着される装着位置（図１参照）と、本体ケーシング２から引き出される引出位置（図３参照）とに、前後方向に沿ってスライド可能に設けられている。
【００１９】
プロセスユニット１５が装着位置に配置されているときには、中間転写ベルト３０（後述）と各感光ドラム２０（後述）とは、互いに近接される第１相対配置に配置され、プロセスユニット１５が引出位置に配置されているときには、中間転写ベルト３０（後述）と各感光ドラム２０（後述）とは、互いに離間される第２相対配置に配置されている。
【００２０】
また、プロセスユニット１５は、各色に対応する４つの感光体の一例としての感光ドラム２０と、各感光ドラム２０に対応する４つのスコロトロン型帯電器２１と、各感光ドラム２０に対応する４つの現像ユニットの一例としての現像カートリッジ２２とを保持している。
【００２１】
各感光ドラム２０は、左右方向に長手の略円筒形状に形成されており、左右に沿って設けられている。また、各感光ドラム２０は、前後方向に互いに間隔を隔てて並列配置されている。具体的には、前側から後側に向かって、ブラック感光ドラム２０Ｋ、イエロー感光ドラム２０Ｙ、マゼンタ感光ドラム２０Ｍおよびシアン感光ドラム２０Ｃが、順次配置されている。
【００２２】
各スコロトロン型帯電器２１は、対応する感光ドラム２０の後側において、対応する感光ドラム２０に間隔を隔てて対向配置されている。
【００２３】
各現像カートリッジ２２は、対応する感光ドラム２０の前下側に対向配置されている。また、各現像カートリッジ２２は、前後方向に互いに間隔を隔てて並列配置されている。また、各現像カートリッジ２２は、現像剤担持体の一例としての現像ローラ２３を備えている。
【００２４】
現像ローラ２３は、現像カートリッジ２２の上端において、上側から露出されるように回転可能に支持されており、感光ドラム２０に対して下側から接触されている。
【００２５】
なお、現像カートリッジ２２は、現像ローラ２３にトナーを供給する供給ローラ２４、現像ローラ２３に供給されたトナーの厚みを規制する層厚規制ブレード２５を備えている。また、各現像カートリッジ２２には、供給ローラ２４の前側において、各色に対応する現像剤の一例としてのトナーが収容されている。
（３−２）ＬＥＤユニット
各ＬＥＤユニット１６は、対応する現像カートリッジ２２の後側において、対応する感光ドラム２０に下側から対向するように設けられている。ＬＥＤユニット１６は、所定の画像データに基づいて、対応する感光ドラム２０の表面を露光する。
（３−３）転写ユニット
転写ユニット１７は、ベルトユニット２６と二次転写ローラ２７とを備えている。
【００２６】
ベルトユニット２６は、プロセスユニット１５の上側において、各感光ドラム２０に上側から対向するように、前後方向に沿って配置されている。
【００２７】
ベルトユニット２６は、駆動ローラ２８、従動ローラ２９、無端ベルトの一例としての中間転写ベルト３０、および、４つの一次転写ローラ３１を備えている。
【００２８】
駆動ローラ２８および従動ローラ２９は、前後方向に間隔を隔てて対向配置されている。
【００２９】
中間転写ベルト３０は、その下側部分が各感光ドラム２０に接触されるように、駆動ローラ２８および従動ローラ２９の周りに掛け渡されている。また、中間転写ベルト３０は、駆動ローラ２８の駆動により、各感光ドラム２０と接触する下側部分が前側から後側に向かって移動するように、周回移動されている。
【００３０】
各一次転写ローラ３１は、各感光ドラム２０と、それぞれ中間転写ベルト３０の下側部分を挟んで対向するように、設けられている。
【００３１】
二次転写ローラ２７は、ベルトユニット２６の駆動ローラ２８と、中間転写ベルト３０を挟んで対向するように、ベルトユニット２６の後側に設けられている。
（３−４）定着ユニット
定着ユニット１８は、二次転写ローラ２７の上側に配置され、加熱ローラ３７、および、加熱ローラ３７に対向する加圧ローラ３８を備えている。
（３−５）画像形成動作
（３−５−１）現像動作
現像カートリッジ２２内のトナーは、供給ローラ２４に供給され、さらに、現像ローラ２３に供給される。
【００３２】
現像ローラ２３に供給されたトナーは、現像ローラ２３の回転に伴って、供給ローラ２４と現像ローラ２３との間で正極性に摩擦帯電され、層厚規制ブレード２５によって厚さが規制されて、一定厚さの薄層として現像ローラ２３の表面に担持される。
【００３３】
一方、感光ドラム２０の表面は、感光ドラム２０の回転に伴って、スコロトロン型帯電器２１により一様に正帯電された後、ＬＥＤユニット１６により露光される。これにより、用紙Ｐに形成すべき画像に対応した静電潜像が感光ドラム２０の表面に形成される。
【００３４】
感光ドラム２０がさらに回転すると、現像ローラ２３の表面に担持され、かつ、正帯電されているトナーが、感光ドラム２０の表面に形成されている静電潜像に供給される。これにより、感光ドラム２０の静電潜像は可視像化され、感光ドラム２０の表面には、反転現像によるトナー像が担持される。
（３−５−２）転写・定着動作
感光ドラム２０の表面に反転現像により担持されたトナー像は、前側から後側へ移動される中間転写ベルト３０の下側部分に順次、一次転写される。これにより、中間転写ベルト３０にカラー画像が形成される。
【００３５】
中間転写ベルト３０に形成されたカラー画像は、中間転写ベルト３０が二次転写ローラ２７との対向位置を通過する間に、給紙部４から供給される用紙Ｐに、二次転写される。
【００３６】
そして、用紙Ｐに転写されたカラー画像は、定着ユニット１８において、用紙Ｐが加熱ローラ３７と加圧ローラ３８との間を通過する間に、加熱および加圧されることによって用紙Ｐに熱定着される。
（４）排紙
本体ケーシング２の上面には、用紙Ｐが排紙される排紙トレイ３３が形成されている。また、本体ケーシング２の後側上端部には、排紙トレイ３３よりも上側へ突出する排紙部３９が形成されている。
【００３７】
排紙部３９には、排紙トレイ３３よりも上側において、用紙Ｐを排紙する排紙口１９が形成されている。また、排紙部３９は、排紙口１９内において、用紙Ｐを排紙トレイ３３へ搬送する複数（３つ）の排紙ローラ３２を備えている。
【００３８】
そして、定着ユニット１８においてトナー像が定着された用紙Ｐは、各排紙ローラ３２によって、排紙トレイ３３上に排紙される。
（５）フラットベッドスキャナ
フラットベッドスキャナ３は、排紙トレイ３３の上方に間隔を隔てて、排紙部３９の上端部に支持されている。フラットベッドスキャナ３では、原稿が押えカバー３４とガラス面３５との間に配置された後、ＣＣＤセンサ３６がスライドすることにより、原稿の画像情報が読み取られる。
２．プロセスユニットの詳細
プロセスユニット１５は、図１に示すように、ドロワフレーム４１を備えている。
【００３９】
ドロワフレーム４１は、有底略矩形枠形状に形成され、支持機構４２（図２参照）、ドラムユニット４３、現像カートリッジ２２、ＬＥＤユニット１６、および、クリーニングユニットの一例としてのベルトクリーニングユニット４４を保持している。
（１）支持機構
支持機構４２は、ドロワフレーム４１の左右両側壁の左右方向内側に対向配置されている。
【００４０】
また、支持機構４２は、図２に示すように、ドラムユニット４３および現像カートリッジ２２を支持する支持側板４５と、各ドラムユニット４３を退避位置（後述、図４参照）に保持する４つの保持部材４６とを備えている。
【００４１】
支持側板４５は、前後方向に延びる側面視略矩形状に形成されている。また、支持側板４５には、感光ドラム２０を支持するドラム支持溝４７と、ドラムユニット４３を支持するユニット支持穴４８と、現像カートリッジ２２を支持するカートリッジ支持溝４９とが形成されている。また、支持側板４５は、保持部材４６を支持する保持部材支持ボス５０を備えている。
【００４２】
ドラム支持溝４７は、各感光ドラム２０に対応するように、前後方向に互いに間隔を隔てて４つ並列配置されている。また、各ドラム支持溝４７は、支持側板４５の上端部から下側に向かって、上側が開放された側面視略Ｕ字形状に切り欠き形成されている。ドラム支持溝４７は、感光ドラム２０のフランジ部材５６（後述）を受け入れ可能な溝幅（前後方向長さ）に形成されている。
【００４３】
ユニット支持穴４８は、支持側板４５の上端部において、各ドラム支持溝４７の後側に１つずつ設けられ、支持側板４５を左右方向に貫通するように、側面視略円形状に形成されている。ユニット支持穴４８は、ドラムユニット４３のユニット支持ボス５９（後述）を受け入れ可能な直径に形成されている。
【００４４】
カートリッジ支持溝４９は、各ドラム支持溝４７の前側に１つずつ設けられている。また、各カートリッジ支持溝４９は、支持側板４５の上端部から下側に向かって、上側が開放された側面視略Ｕ字形状に切り欠き形成されている。カートリッジ支持溝４９は、現像カートリッジ２２のカートリッジ支持ボス６６（後述）を受け入れ可能な溝幅（前後方向長さ）に形成されている。
【００４５】
保持部材支持ボス５０は、各カートリッジ支持溝４９の下側に１つずつ設けられ、支持側板４５の左右方向外面から左右方向外側へ突出する略円筒形状に形成されている。
【００４６】
保持部材４６は、前後方向に延び、その後端部において下側へ屈曲された側面視略Ｌ字形の平板形状に形成され、各感光ドラム２０に対応するように、前後方向に互いに間隔を隔てて４つ並列配置されている。
【００４７】
保持部材４６には、感光ドラム２０のシャフト５７（後述）をガイドするガイド溝５２と、支持側板４５の保持部材支持ボス５０が挿通される挿通穴５１とが形成されている。また、保持部材４６は、現像カートリッジ２２のカートリッジ支持ボス６６（後述）に当接される被当接部４０を備えている。
【００４８】
ガイド溝５２は、保持部材４６の後側半分において、保持部材４６の外形形状に対応するように、側面視略Ｌ字形状に形成されている。詳しくは、ガイド溝５２は、前後方向に略直線形状に延びる直線部分５２Ａと、直線部分５２Ａの後端部に連続して下側へ屈曲された屈曲部分５２Ｂとを備えている。
【００４９】
挿通穴５１は、保持部材４６の前端部において、保持部材４６を左右方向に貫通するように、側面視略円形状に形成されている。
【００５０】
被当接部４０は、保持部材４６の前端部において、挿通穴５１よりわずかに後端部側の上端部から左右方向内側へ延びる略矩形平板形状に形成されている。
【００５１】
そして、保持部材４６は、支持側板４５の左右方向外側に間隔を隔てて配置され、その挿通穴５１が保持部材支持ボス５０に相対回転可能に挿通され、ねじにより固定されることにより、支持側板４５に、その前端部を支点として揺動可能に支持されている。
（２）ドラムユニット
（２−１）ドラムユニットの構成
ドラムユニット４３は、感光ドラム２０とスコロトロン型帯電器２１（図１参照）とを一体的に保持するユニットフレーム５８を備えている。
【００５２】
ユニットフレーム５８は、左右方向に延び、前側が開放された略ボックス形状に形成されている。また、ユニットフレーム５８の上側後端部には、ユニット支持ボス５９が設けられている。
【００５３】
ユニット支持ボス５９は、ユニットフレーム５８の左右方向外面から左右方向外側へ突出する略円筒形状に形成されている。ユニット支持ボス５９の外径は、ユニット支持穴４８の直径よりも小径である。
【００５４】
感光ドラム２０は、ユニットフレーム５８の前端部に回転可能に支持されており、素管５５と、左右１対のフランジ部材５６と、シャフト５７を備えている。
【００５５】
素管５５は、左右方向に延びる略円筒形状に形成されている。素管５５の表面には感光層が設けられている。
【００５６】
両フランジ部材５６は、左右方向に延び、左右方向外側端部が閉鎖された略円柱形状に形成されている。
【００５７】
両フランジ部材５６は、素管５５と中心軸線を共有するように、それぞれ、素管５５の左右方向両端部に相対回転不能に内嵌されている。また、両フランジ部材５６は、それぞれ、ユニットフレーム５８に回転可能に支持されている。
【００５８】
シャフト５７は、左右方向に延びる略円柱形状に形成されている。また、シャフト５７は、素管５５と中心軸線を共有し、フランジ部材５６の左右方向外側端部から左右方向外側へ突出するように、フランジ部材５６に相対回転不能に挿通されている。シャフト５７の外径は、保持部材４６のガイド溝５２の溝幅よりも小径に形成されている。また、シャフト５７は、連結部材５４（図４参照）を介してユニット支持ボス５９に連結されている。
【００５９】
なお、スコロトロン型帯電器２１は、ユニットフレーム５８の後端部に支持されている（図１参照）。
【００６０】
そして、ドラムユニット４３は、ユニットフレーム５８のユニット支持ボス５９が支持側板４５のユニット支持穴４８に相対回転可能に挿通され、ねじにより固定されることにより、支持側板４５に、ユニット支持ボス５９を支点として回動可能に支持されている。
【００６１】
また、感光ドラム２０のシャフト５７は、保持部材４６のガイド溝５２に挿通されている。
【００６２】
そして、ドラムユニット４３は、図２および図５（ａ）に示すように、現像カートリッジ２２がドロワフレーム４１に装着されているときには、感光ドラム２０のフランジ部材５６が支持側板４５のドラム支持溝４７に嵌合され、感光ドラム２０が現像ローラ２３に上側から対向される対向位置に配置されている。
【００６３】
このとき、保持部材４６は、前後方向に傾倒されており、感光ドラム２０のシャフト５７は、保持部材４６のガイド溝５２の前端部に挿通されている。
（２−２）ドラムユニットの揺動
ドラムユニット４３は、感光ドラム２０が下側から押圧されることにより、フランジ部材５６とドラム支持溝４７との嵌合が解除され、ユニット支持ボス５９を支点として右側面視時計回りに回動される。
【００６４】
同時に、保持部材４６は、感光ドラム２０のシャフト５７によって上側へ押圧され、保持部材支持ボス５０を支点として右側面視反時計回りに回動されて、上側へ向かうに従って後側へ傾斜するように起立される。
【００６５】
このとき、感光ドラム２０のシャフト５７は、保持部材４６のガイド溝５２の直線部分５２Ａにガイドされるように、ガイド溝５２内を後側へ移動される。つまり、ガイド溝５２の直線部分５２Ａは、ドラムユニット４３の対向位置と退避位置（後述、図４参照）とへの移動を案内する案内部として機能する。
【００６６】
そして、図４に示すように、シャフト５７がガイド溝５２の後端部に配置されるまでドラムユニット４３が回動されると、保持部材４６は、前下側と後上側とに向かって延びるように起立される。
【００６７】
なお、保持部材４６が起立されたときには、ガイド溝５２の屈曲部分５２Ｂは、ほぼ前後方向に延びており、被当接部４０は、左右方向に投影したときにカートリッジ支持溝４９の下端部に重なっている。
【００６８】
そして、さらにドラムユニット４３が回動されると、シャフト５７は、ガイド溝５２の屈曲部分５２Ｂ内に嵌合される。
【００６９】
これにより、図４および図５（ｂ）に示すように、ドラムユニット４３は、現像カートリッジ２２の上側から後上側へ退避され、感光ドラム２０が現像ローラ２３から退避される退避位置に配置される。
【００７０】
また、ドラムユニット４３は、シャフト５７が屈曲部分５２Ｂの前側の溝壁に後上側から当接されることにより、その右側面視反時計回りへの回動が規制される。つまり、ガイド溝５２の屈曲部分５２Ｂは、感光ドラム２０を退避位置に係止する係止部として機能する。
【００７１】
なお、ドラムユニット４３を退避位置から対向位置へ回動させるには、保持部材４６を右側面視時計回りに回動させて、シャフト５７の屈曲部分５２Ｂに対する嵌合を解除し、シャフト５７を直線部分５２Ａに嵌合させる。
【００７２】
すると、ドラムユニット４３は、その自重により右側面視反時計回りに回動されて、対向位置に配置される。
（３）現像カートリッジ
現像カートリッジ２２は、図１および図４に示すように、ドロワフレーム４１に着脱可能に支持されており、現像ローラ２３、供給ローラ２４および層厚規制ブレード２５を支持し、トナーを収容するカートリッジフレーム６１を備えている。
【００７３】
カートリッジフレーム６１は、左右方向に延びる略ボックス形状に形成されている。カートリッジフレーム６１には、その前側上端部において左右方向に延びる平面視略矩形状の開口６２が形成されている。開口６２内には、現像ローラ２３が支持されている。
【００７４】
また、カートリッジフレーム６１は、把持部材の一例としての取っ手６３とカートリッジ支持部６４とを備えている
取っ手６３は、カートリッジフレーム６１の左右方向略中央の上端部から上側へ向かって延びる略アーチ形状に形成されている。
【００７５】
カートリッジ支持部６４は、延出部６５と、干渉部材の一例としてのカートリッジ支持ボス６６とを備えている。
【００７６】
延出部６５は、カートリッジフレーム６１の左右方向外側端部の上端部から上側へ向かって延びる略杆形状に形成されている。
【００７７】
カートリッジ支持ボス６６は、延出部６５の上端部から左右方向外側に延びる略円柱形状に形成されている。また、カートリッジ支持ボス６６の外径は、カートリッジ支持溝４９の溝幅（前後方向長さ）よりも短い。
（４）ＬＥＤユニット
各ＬＥＤユニット１６は、図５に示すように、ドロワフレーム４１の左右方向両側壁間に架設されるＬＥＤアレイ支持部材７１と、ＬＥＤアレイ支持部材７１に支持される露光部材の一例としてのＬＥＤアレイ７２と、ＬＥＤアレイ７２を被覆する被覆部材の一例としてのＬＥＤカバー７７と、ＬＥＤカバー７７を移動させる変位部材８４とを備えている。
（４−１）ＬＥＤアレイ支持部材およびＬＥＤアレイ
ＬＥＤアレイ支持部材７１は、支持ビーム７３と、ＬＥＤアレイ収容部７４とを備えている。
【００７８】
支持ビーム７３は、左右方向に延びる略円柱形状に形成されている。また、支持ビーム７３は、ドロワフレーム４１の両側板間に架設されている。
【００７９】
ＬＥＤアレイ収容部７４は、左右方向に長手の有底略矩形枠形状に形成され、その底壁において支持ビーム７３に連結されている。ＬＥＤアレイ収容部７４の前後方向および左右方向の内寸は、それぞれ、ＬＥＤアレイ７２の前後方向および左右方向の外寸とほぼ同じ（わずかに長い）である。
【００８０】
ＬＥＤアレイ７２は、左右方向に延びる略杆形状に形成され、左右方向に並列配置される多数のＬＥＤを一体的に保持している。ＬＥＤアレイ７２の左右方向長さは、感光ドラム２０の左右方向長さよりも短く、感光ドラム２０の通紙領域（用紙Ｐと接触される領域）の左右方向長さよりも長い。
【００８１】
また、ＬＥＤアレイ７２の左右方向両端部には、ＬＥＤアレイ７２を感光ドラム２０に対して位置決めする突出部材の一例としてのＬＥＤ位置決め部材７５が設けられている。
【００８２】
ＬＥＤ位置決め部材７５は、略円板形状のころであって、ＬＥＤアレイ７２の左右方向両端縁において、上側に向かってわずかに突出するように設けられている。ＬＥＤ位置決め部材７５は、感光ドラム２０に下側から当接されている。これにより、ＬＥＤ位置決め部材７５は、ＬＥＤアレイ７２を、感光ドラム２０に対して間隔（ＬＥＤ位置決め部材７５の突出長さに相当する間隔）を隔てて対向するように位置決めしている。
【００８３】
そして、ＬＥＤアレイ７２は、その下端部において、ＬＥＤアレイ収容部７４の上端部に相対移動可能に収容され、圧縮ばね７６により、ＬＥＤアレイ収容部７４の底壁に弾性的に支持されている。
【００８４】
詳しくは、圧縮ばね７６は、一端がＬＥＤアレイ収容部７４の底壁に連結され、他端がＬＥＤアレイ７２の下端部に連結されている。これにより、ＬＥＤアレイ７２は、ＬＥＤアレイ収容部７４の底壁に対して、圧縮ばね７６を介して弾性的に支持されている。
（４−２）ＬＥＤカバーおよび変位部材
ＬＥＤカバー７７は、ＬＥＤアレイ７２を被覆する被覆部７８と、ＬＥＤカバー７７をＬＥＤアレイ支持部材７１に支持する支持杆７９と、ＬＥＤカバー７７に駆動力を入力する駆動ギヤ８０とを一体的に備えている。
【００８５】
被覆部７８は、左右方向に延びる平面視略平板形状に形成されている。被覆部７８は、左右方向に投影したときに、上側に凸の略円弧形状を形成するように湾曲されている。
【００８６】
支持杆７９は、被覆部７８の左右方向両端部から、被覆部７８の径方向内側へ延びる略杆形状に形成されている。
【００８７】
駆動ギヤ８０は、左右方向に厚みを有する略円板形状に形成され、その周面にギヤ歯を有している。駆動ギヤ８０は、その回転中心が支持杆７９の径方向内側端部（遊端部）と重なるように、被覆部７８および支持杆７９の左右方向外側に相対回転不能に設けられている。
【００８８】
そして、ＬＥＤカバー７７は、被覆部７８が上側に配置されるように、支持杆７９の径方向内側端部（下端部）において、ＬＥＤアレイ支持部材７１に回動可能に支持されている。
【００８９】
ＬＥＤカバー７７は、支持杆７９の下端部を支点として、被覆部７８がＬＥＤアレイ７２と感光ドラム２０との間から退避される開位置（退避位置、図５（ａ）参照）と、被覆部７８がＬＥＤアレイ７２と感光ドラム２０との間においてＬＥＤアレイ７２を被覆する閉位置（被覆位置、図５（ｂ）参照）とに回動される。
【００９０】
変位部材８４は、図５および図６に示すように、現像カートリッジ２２の下端部に干渉する被係合部の一例としての干渉部８１と、ＬＥＤカバー７７の駆動ギヤ８０に噛合する入力ギヤ８２と、干渉部８１を常には上側へ付勢する圧縮ばね８３とを備えている。
【００９１】
干渉部８１は、左右方向に延びる平板形状に形成されており（図６参照）、現像カートリッジ２２の下側に配置されている。
【００９２】
入力ギヤ８２は、干渉部８１の後端部を中心とする側面視略扇形の部分円板形状に形成されており、干渉部８１の左右方向両端部から連続して（図６参照）、約１２０°の中心角を形成するように後上側へ延びている。入力ギヤ８２の円弧部分には、その周面において、駆動ギヤ８０のギヤ歯に噛合するギヤ歯が形成されている。
【００９３】
そして、変位部材８４は、干渉部８１の後端部において、ドロワフレーム４１の底壁に回動可能に支持されている。
【００９４】
これにより、変位部材８４は、干渉部８１がドロワフレーム４１の底壁に沿って前後方向に延びる第２位置（図５（ａ）参照）と、干渉部８１が前側へ向かうに従って上側へ向かうように傾斜される第１位置（図５（ｂ）参照）とに移動可能である。
【００９５】
また、変位部材８４は、現像カートリッジ２２がドロワフレームに４１に装着されているときには、干渉部８１が現像カートリッジ２２の下端部によって上側から押圧されることにより、第１位置に配置されている。つまり、現像カートリッジ２２の下端部は、変位部材８４に上側から係合する係合部として機能する。
【００９６】
変位部材８４は、第１位置に配置されているときに、入力ギヤ８２の後端部において、開位置に配置されるＬＥＤカバー７７の駆動ギヤ８０に噛合されている。
【００９７】
圧縮ばね８３は、干渉部８１と、ドロワフレーム４１の底壁との間に介在され、一端が干渉部８１の下面に接続されており、他端が現像カートリッジ２２の底壁に接続されている。これにより、変位部材８４は、常には、干渉部８１の後端部を支点として右側面視時計回りに付勢されている。
【００９８】
つまり、変位部材８４は、常には、ＬＥＤカバー７７を閉位置へ移動させるように、右側面視時計回りに付勢されている。
（４−３）ＬＥＤカバーの回動
図５（ａ）に示すように、ＬＥＤカバー７７が開位置に配置されているときには、変位部材８４は、第１位置に配置されており、被覆部７８の前端部は、ＬＥＤ位置決め部材７５の上端部の後側に配置されている。
【００９９】
そして、図５（ｂ）に示すように、変位部材８４が、圧縮ばね８３の付勢力により右側面視時計回りに回動されると、変位部材８４の入力ギヤ８２を介して、ＬＥＤカバー７７の駆動ギヤ８０に右側面視反時計回りの駆動力が入力され、駆動ギヤ８０が右側面視反時計回りに回転される。
【０１００】
すると、駆動ギヤ８０からＬＥＤカバー７７に右側面視反時計回りの駆動力が入力され、ＬＥＤカバー７７が開位置から右側面視反時計回りに回動される。
【０１０１】
ＬＥＤカバー７７が開位置から右側面視反時計回りに回動されると、ＬＥＤカバー７７の被覆部７８の前端部は、ＬＥＤ位置決め部材７５の上端部に後側から当接される。
【０１０２】
そして、さらにＬＥＤカバー７７が回動されると、被覆部７８は、ＬＥＤ位置決め部材７５の周面を下側へ押圧しながら前側へ移動される。
【０１０３】
これにより、ＬＥＤアレイ７２が圧縮ばね７６の付勢力に抗して下側へ退避されるとともに、ＬＥＤカバー７７が閉位置に配置される。
【０１０４】
また、変位部材８４が第１位置に配置され、ＬＥＤカバー７７が閉位置に配置されている状態において、変位部材８４が、圧縮ばね８３の付勢力に抗して右側面視反時計回りに回動されると、変位部材８４の入力ギヤ８２を介して、ＬＥＤカバー７７の駆動ギヤ８０に右側面視時計回りの駆動力が入力され、駆動ギヤ８０が右側面視時計回りに回転される。
【０１０５】
すると、駆動ギヤ８０からＬＥＤカバー７７に右側面視時計回りの駆動力が入力され、ＬＥＤカバー７７が閉位置から右側面視時計回りに回動される。
【０１０６】
ＬＥＤカバー７７が閉位置から右側面視時計回りに回動されると、被覆部７８が後側へ移動される。
【０１０７】
そして、被覆部７８の前端部が、ＬＥＤ位置決め部材７５の上端部から後側に退避されると、ＬＥＤカバー７７が開位置に配置され、ＬＥＤアレイ７２が圧縮ばね７６の付勢力により上側へ進出される。
（５）ベルトクリーニングユニット
ベルトクリーニングユニット４４は、図１に示すように、廃トナー収容部９１と、掻き取りローラ９２と、掻き取りブレード９３と、ベルトクリーニングローラ９４とを備えている。
【０１０８】
廃トナー収容部９１は、上端部に開口９５を有する略ボックス形状に形成されている。
【０１０９】
掻き取りローラ９２は、廃トナー収容部９１の開口９５の上側において、開口９５に対向配置されている。
【０１１０】
掻き取りブレード９３は、前後方向に延びる略平板形状に形成され、その後端部（遊端部）が掻き取りローラ９２に下側から接触されるように、その前端部（基端部）が、開口９５の前側周縁部において、廃トナー収容部９１に固定されている。
【０１１１】
ベルトクリーニングローラ９４は、掻き取りローラ９２に上側から接触されるように、ベルトクリーニングユニット４４の上端部において、回転可能に支持されている。
【０１１２】
そして、ベルトクリーニングユニット４４は、ベルトクリーニングローラ９４が中間転写ベルト３０の下側部分に下側から接触されるように配置されている。ベルトクリーニングユニット４４は、中間転写ベルト３０の表面に残存したトナーなどを、ベルトクリーニングローラ９４によってクリーニングする。ベルトクリーニングローラ９４に保持されたトナーは、一旦掻き取りローラ９２に保持された後、掻き取りブレード９３で掻き取られることにより、廃トナー収容部９１内に収容される。
３．現像カートリッジの着脱
現像カートリッジ２２を本体ケーシング２から離脱させるには、まず、図３に示すように、フロントカバー７を開放し、プロセスユニット１５を前方に引き出して引出位置に配置させる。
【０１１３】
次いで、現像カートリッジ２２の取っ手６３を把持して、現像カートリッジ２２をドロワフレーム４１から上側へ引き抜く。
【０１１４】
すると、現像カートリッジ２２の上側への移動に伴って、現像ローラ２３が感光ドラム２０を下側から押圧する。
【０１１５】
感光ドラム２０を下側から押圧されると、上記したように、ドラムユニット４３が、ユニット支持ボス５９を支点として右側面視時計回りに回動される。
【０１１６】
そして、図４および図５（ｂ）に示すように、現像カートリッジ２２がさらに上側へ引き抜かれると、ドラムユニット４３が、さらに右側面視時計回りに回動されて、現像カートリッジ２２の上側から後上側へ退避されて退避位置に配置される。このとき、シャフト５７がガイド溝５２の屈曲部分５２Ｂ内に嵌合されることにより、ドラムユニット４３は、退避位置に係止される。
【０１１７】
そして、さらに現像カートリッジ２２を上側へ引き抜くと、現像カートリッジ２２は、ドラムユニット４３が退避されることにより形成された空間を通過するように、上側へ離脱される。
【０１１８】
これにより、現像カートリッジ２２の本体ケーシング２からの離脱が完了する。
【０１１９】
また、図５（ｂ）に示すように、現像カートリッジ２２が本体ケーシング２から離脱されると、現像カートリッジ２２の下端部による干渉部８１に対する押圧が解除される。
【０１２０】
すると、上記したように、変位部材８４が、圧縮ばね８３の付勢力により右側面視時計回りに回動され、ＬＥＤカバー７７が開位置から閉位置に配置される。
【０１２１】
また、現像カートリッジ２２を本体ケーシング２に装着するには、プロセスユニット１５が引出位置に引き出され、ドラムユニット４３が退避位置に係止された状態で、現像ローラ２３が後側に配置されるとともに上側に向かって露出されるように、現像カートリッジ２２の取っ手６３を把持して、現像カートリッジ２２を、ドラムユニット４３の前側において、ドロワフレーム４１の上側に位置決めする。
【０１２２】
そして、現像カートリッジ２２のカートリッジ支持ボス６６がドロワフレーム４１のカートリッジ支持溝４９に嵌合されるように、現像カートリッジ２２を上側からドロワフレーム４１に挿入する。
【０１２３】
すると、現像カートリッジ２２の現像ローラ２３がドロワフレーム４１内に進入された後に、現像カートリッジ２２のカートリッジ支持ボス６６がドロワフレーム４１のカートリッジ支持溝４９に嵌合される。
【０１２４】
すると、カートリッジ支持ボス６６がカートリッジ支持溝４９の下端部に嵌合されたときに、カートリッジ支持ボス６６が保持部材４６の被当接部４０に上側から当接される。
【０１２５】
カートリッジ支持ボス６６が被当接部４０に当接されると、保持部材４６は、保持部材支持ボス５０を支点として右側面視時計回りに回動される。
【０１２６】
すると、シャフト５７の屈曲部分５２Ｂに対する嵌合が解除され、シャフト５７が直線部分５２Ａに嵌合される。つまり、屈曲部分５２Ｂによるシャフト５７の係止が解除される。
【０１２７】
すると、ドラムユニット４３が、その自重により退避位置から右側面視反時計回りに回動されて、対向位置に配置される。
【０１２８】
これにより、現像カートリッジ２２のプロセスユニット１５への装着が完了する。
【０１２９】
また、現像カートリッジ２２のプロセスユニット１５に装着されると、上記し、図５（ａ）に示すように、変位部材８４の干渉部８１が現像カートリッジ２２の下端部により上側から押圧され、変位部材８４が、圧縮ばね８３の付勢力に抗して右側面視反時計回りに回動される。
【０１３０】
すると、ＬＥＤカバー７７が閉位置から右側面視時計回りに回動され、開位置に配置される。このとき、被覆部７８は、現像カートリッジ２２の着脱軌跡から退避されるように、後側へ移動される。
【０１３１】
そして、ＬＥＤカバー７７が開位置に配置されると、ＬＥＤアレイ７２が、圧縮ばね７６の付勢力により上側へ進出され、ＬＥＤ位置決め部材７５において、感光ドラム２０に当接される。
４．作用効果
（１）このプリンタ１によれば、図５に示すように、各ドラムユニット４３は、プロセスユニット１５が引出位置に配置されているときに、各感光ドラム２０が各現像ローラ２３に対向される対向位置と、各感光ドラム２０が各現像ローラ２３から退避される退避位置とに回動される。
【０１３２】
これにより、プロセスユニット１５が引出位置に配置されているときに、各ドラムユニット４３を退避位置に配置させれば、感光ドラム２０の退避によって現像カートリッジ２２の上側に形成される空間を利用して、現像カートリッジ２２を、上側からプロセスユニット１５に装着、または、プロセスユニット１５から上側へ離脱させることができる。
【０１３３】
そのため、ドラムユニット４３を対向位置から退避位置へ回動させるだけで、現像カートリッジ２２をプロセスユニット１５に対して上側から容易に着脱させることができる。
（２）このプリンタ１によれば、図４に示すように、各ドラムユニット４３を退避位置に保持する保持部材４６を備えている。
【０１３４】
そのため、現像カートリッジ２２をプロセスユニット１５から離脱させたときに、各ドラムユニット４３を退避位置に保持しておくことができる。
【０１３５】
その結果、現像カートリッジ２２をプロセスユニット１５に装着するときには、各ドラムユニット４３を退避位置に移動させることなく、容易に、現像カートリッジ２２をプロセスユニット１５に装着することができる。
（３）このプリンタ１によれば、図４に示すように、ドラムユニット４３のシャフト５７が挿通される保持部材４６のガイド溝５２は、ドラムユニット４３の対向位置と退避位置とへの移動を案内する直線部分５２Ａと、直線部分５２Ａに連続し、ドラムユニット４３を退避位置に係止する屈曲部分５２Ｂとを備えている。
【０１３６】
そのため、ドラムユニット４３のシャフト５７を、直線部分５２Ａにおいて案内した後、円滑に、屈曲部分５２Ｂに係止することができる。
【０１３７】
その結果、ドラムユニット４３を、対向位置から退避位置へ移動させた後、円滑に、退避位置に係止することができる。
（４）このプリンタ１によれば、図２および図４に示すように、現像カートリッジ２２は、本体ケーシング２に装着されるときに保持部材４６に干渉して、ガイド溝５２の屈曲部分５２Ｂによるドラムユニット４３の係止を解除するカートリッジ支持ボス６６を備えている。
【０１３８】
そして、ドラムユニット４３は、現像カートリッジ２２が本体ケーシング２から離脱されるときに、現像ローラ２３に下側から押圧されることにより、対向位置から退避位置へ移動され、現像カートリッジ２２が本体ケーシング２に装着されるときに、ガイド溝５２の屈曲部分５２Ｂによる係止が解除されることにより、退避位置から対向位置へ移動可能となる。
【０１３９】
そのため、現像カートリッジ２２を離脱させる動作により、確実に、ドラムユニット４３を退避位置に移動させることができるとともに、現像カートリッジ２２を装着する動作により、確実に、ドラムユニット４３を対向位置に移動させることができる。
（５）このプリンタ１によれば、図１および図３に示すように、各ドラムユニット４３を保持し、本体ケーシング２に装着される装着位置と、本体ケーシング２から引き出される引出位置とに、前後方向に沿って移動可能なプロセスユニット１５を備えている。
【０１４０】
そのため、プロセスユニット１５を前側に引き出して、現像カートリッジ２２をプロセスユニット１５に対して着脱させる、いわゆるフロントアクセスを実現することができる。
【０１４１】
その結果、プリンタ１が上下方向に限られた空間に設置された場合でも、容易に、現像カートリッジ２２をプロセスユニット１５に対して着脱させることができる。
（６）このプリンタ１によれば、図１に示すように、プロセスユニット１５に、中間転写ベルト３０をクリーニングするベルトクリーニングユニット４４が設けられている。
【０１４２】
そのため、プロセスユニット１５と別に、中間転写ベルト３０をクリーニングする部材を備える場合と比べて、プリンタ１を小型化することができる。
（７）このプリンタ１によれば、図１に示すように、各感光ドラム２０に担持されるトナー像が中間転写ベルト３０に一次転写される中間転写型として構成されている。
【０１４３】
そのため、各感光ドラム２０に担持されるトナー像を、直接、用紙Ｐに転写するダイレクトタンデム型と比べて、各感光ドラム２０とベルトユニット２６との間に用紙Ｐを通過させることなく、用紙Ｐにトナー像を転写することができる。
【０１４４】
その結果、用紙Ｐの搬送経路を簡略化することができる。
（８）また、このプリンタ１によれば、図１に示すように、各感光ドラム２０を露光する各ＬＥＤユニット１６を備えている。
【０１４５】
そのため、レーザービームを出射するスキャナなどにより感光ドラム２０を露光する場合と比べて、より小型なＬＥＤユニット１６により感光ドラム２０を露光することができる分、プリンタ１を小型化することができる。
（９）また、このプリンタ１によれば、図５に示すように、現像カートリッジ２２が本体ケーシング２に装着されたときに、ＬＥＤカバー７７を、感光ドラム２０とＬＥＤアレイ７２との間から退避される開位置に配置させ、現像カートリッジ２２が本体ケーシング２から離脱されたときに、ＬＥＤカバー７７を、感光ドラム２０とＬＥＤアレイ７２との間においてＬＥＤアレイ７２を被覆する閉位置に配置させる。
【０１４６】
そのため、現像カートリッジ２２が本体ケーシング２から離脱されたときに、ＬＥＤカバー７７によってＬＥＤアレイ７２を被覆することができる。
【０１４７】
その結果、例えば、感光ドラム２０の表面から脱落したトナーなどにより、ＬＥＤアレイ７２が汚れることを防止することができる。
（１０）また、このプリンタ１によれば、図５に示すように、変位部材８４の干渉部８１は、現像カートリッジ２２がプロセスユニット１５に装着されたときに、現像カートリッジ２２の下端部に押圧され、現像カートリッジ２２がプロセスユニット１５から離脱されたときに、現像カートリッジ２２の下端部からの押圧が解除される。
【０１４８】
そのため、簡易な構成で、現像カートリッジ２２のプロセスユニット１５に対する着脱と、ＬＥＤカバー７７の移動とを連動させることができる。
（１１）また、このプリンタ１によれば、図５に示すように、変位部材８４は、常には、ＬＥＤカバー７７を閉位置へ向かって付勢する。
【０１４９】
そのため、現像カートリッジ２２がプロセスユニット１５から離脱されたときに、確実に、ＬＥＤカバー７７を閉位置に移動させることができる。
（１２）また、このプリンタ１によれば、図５に示すように、変位部材８４は、ＬＥＤカバー７７の駆動ギヤ８０に噛合する入力ギヤ８２を備え、ＬＥＤカバー７７を閉位置へ移動させるように付勢されている。
【０１５０】
そのため、簡易な構成で、現像カートリッジ２２がプロセスユニット１５から離脱されたときに、確実に、ＬＥＤカバー７７を閉位置に移動させることができる。
（１３）また、このプリンタ１によれば、図５（ａ）に示すように、ＬＥＤカバー７７は、現像カートリッジ２２の着脱軌跡から退避されるように、開位置へ移動される。
【０１５１】
そのため、現像カートリッジ２２をＬＥＤカバー７７に干渉させることなく、円滑にプロセスユニット１５に対して着脱させることができる。
（１４）また、このプリンタ１によれば、図５に示すように、ＬＥＤユニット１６のＬＥＤアレイ７２は、常には感光ドラム２０に向かって付勢されており、ＬＥＤカバー７７が開位置に配置されているときには、ＬＥＤアレイ７２のＬＥＤ位置決め部材７５が感光ドラム２０に当接されることにより、所定の間隔を隔てて感光ドラム２０に対向され、ＬＥＤカバー７７が閉位置に配置されているときには、ＬＥＤカバー７７がＬＥＤ位置決め部材７５に当接されることにより、感光ドラム２０から退避される。
【０１５２】
そのため、ＬＥＤカバー７７が開位置に配置されているときには、ＬＥＤアレイ７２を所定の間隔を隔てて感光ドラム２０に対向させることができるとともに、ＬＥＤカバー７７を閉位置に配置させるときには、ＬＥＤカバー７７が感光ドラム２０に当接しないように、ＬＥＤアレイ７２を感光ドラム２０から退避させながらＬＥＤカバー７７を閉位置に配置させることができる。
【０１５３】
その結果、簡易な構成で、ＬＥＤアレイ７２を感光ドラム２０に対して位置決めすることができながら、ＬＥＤカバー７７の感光ドラム２０に対する干渉を防止することができる。
（１５）また、このプリンタ１によれば、図１に示すように、ＬＥＤアレイ７２は、感光ドラム２０の下に対向配置されている。
【０１５４】
そのため、感光ドラム２０の表面から落下したトナーがＬＥＤアレイ７２を汚すことを、防止することができる。
（１６）また、このプリンタ１によれば、図１に示すように、感光ドラム２０は、上下方向（現像カートリッジ２２の着脱方向）と直交する前後方向に、互いに間隔を隔てて４つ並列配置されている。
【０１５５】
そのため、プリンタ１を、各色に対応する感光ドラム２０を有するカラープリンタとして構成することができる。
５．第２実施形態
図７を参照して、プリンタ１の第２実施形態について説明する。なお、第２実施形態において、第１実施形態と同様の部材には同様の符号を付し、その説明を省略する。
【０１５６】
上記した第１実施形態によれば、ＬＥＤカバー７７に駆動ギヤ８０を設けるとともに、現像カートリッジ２２の下側に設けられる変位部材８４に、駆動ギヤ８０に噛合する入力ギヤ８２を設け、現像カートリッジ２２の装着動作に連動してＬＥＤカバー７７を開位置に移動させ、現像カートリッジ２２の離脱動作に連動してＬＥＤカバー７７を閉位置に移動させている。
【０１５７】
しかし、第２実施形態では、図７に示すように、現像カートリッジ２２の後側下端部に後側へ突出する係合部１０１を設けるとともに、ＬＥＤカバー７７の前端部に前側へ突出する被係合部１０２を設ける。なお、ＬＥＤカバー７７は、駆動ギヤ８０を備えていない。
【０１５８】
そして、現像カートリッジ２２の装着するときに、係合部１０１を被係合部１０２に上側から当接させることにより、ＬＥＤカバー７７を、右側面視反時計回りに回動させて開位置に配置させ、現像カートリッジ２２を離脱させるときに、係合部１０１を被係合部１０２に下側から当接させることにより、ＬＥＤカバー７７を、右側面視時計回りに回動させて閉位置に配置させる。
【０１５９】
詳しくは、第２実施形態では、係合部１０１は、カートリッジフレーム６１の後側下端部から後側へ突出する略平板形状に形成されている。
【０１６０】
ＬＥＤカバー７７は、左右１対の変位部材の一例としての支持板１０４と、両支持板１０４間に架設される被覆部１０５と、被係合部１０２とを備えている。
【０１６１】
両支持板１０４は、側面視略扇形の部分円板形状に形成されている。
【０１６２】
被覆部１０５は、支持板１０４の円弧形状に対応するように湾曲される略平板形状に形成されている。
【０１６３】
被係合部１０２は、ＬＥＤカバー７７が閉位置（後述、図７（ｂ）参照）に配置されているときに、支持板１０４の前端部から前側に延びる略杆形状に形成されている。
【０１６４】
そして、ＬＥＤカバー７７は、被覆部１０５が上側に配置されるように、両支持板１０４の中心角部分（下端部）において、ＬＥＤアレイ支持部材７１に回動可能に支持されている。
【０１６５】
ＬＥＤカバー７７は、支持板１０４の下端部を支点として、被覆部１０５がＬＥＤアレイ７２と感光ドラム２０との間から退避される開位置（退避位置、図７（ａ）参照）と、被覆部１０５がＬＥＤアレイ７２と感光ドラム２０との間においてＬＥＤアレイ７２を被覆する閉位置（被覆位置、図７（ｂ）参照）とに回動される。
【０１６６】
また、ＬＥＤカバー７７は、コイルばね１０３により、常には、右側面視時計回りに付勢されている。詳しくは、コイルばね１０３の一端部は、ＬＥＤカバー７７の支持板１０４に係止されており、コイルばね１０３の他端部は、ＬＥＤアレイ収容部７４に係止されている。
【０１６７】
そして、ＬＥＤカバー７７は、現像カートリッジ２２が装着されているときには、コイルばね１０３の付勢力に抗して、被覆部１０５がＬＥＤアレイ７２の前側に退避される開位置（図７（ａ）参照）に配置され、カートリッジフレーム６１の後壁に被係合部１０２が当接されることにより、開位置に係止されている。
【０１６８】
第２実施形態において、現像カートリッジ２２をプロセスユニット１５から離脱させるときには、係合部１０１が被係合部１０２に下側から当接されることにより、ＬＥＤカバー７７が、右側面視時計回りに回動されて閉位置に配置される。
【０１６９】
また、現像カートリッジ２２がプロセスユニット１５に装着されるときには、係合部１０１が被係合部１０２に上側から当接されることにより、ＬＥＤカバー７７が、右側面視反時計回りに回動されて開位置に配置される。
【０１７０】
第２実施形態によれば、被係合部１０２を備える支持板１０４が、ＬＥＤカバー７７を保持している。
【０１７１】
そのため、簡易な構成で、現像カートリッジ２２のプロセスユニット１５に対する着脱と、ＬＥＤカバー７７の移動とを連動させることができる。
【０１７２】
また、第２実施形態においても、第１実施形態と同様の作用効果を得ることができる。
６．第３実施形態
図８および図９を参照して、プリンタ１の第３実施形態について説明する。なお、第３実施形態において、第１実施形態と同様の部材には同様の符号を付し、その説明を省略する。
【０１７３】
上記した第１実施形態では、カートリッジフレーム６１の左右方向略中央の上端部に、上側へ向かって延びる略アーチ形状の取っ手６３を備えたが、第３実施形態では、取っ手６３を上下に進退可能に設け、図８に示すように、プロセスユニット１５が本体ケーシング２に装着されているときに、取っ手６３をカートリッジフレーム６１内に退避させ、図９に示すように、プロセスユニット１５が本体ケーシング２から引き出されたときに、取っ手６３をカートリッジフレーム６１から進出させる。
【０１７４】
詳しくは、第３実施形態では、図８および図９に示すように、本体ケーシング２内に、取っ手６３を下側へ押圧する１対の当接部材の一例としてのレール部材１１１が設けられている。
【０１７５】
両レール部材１１１は、前後方向に延びる略平板形状に形成されている。また、両レール部材１１１は、各感光ドラム２０の感光層が形成される素管５５よりも左右方向外側において、ベルトユニット２６を挟んで左右方向に互いに間隔を隔てて配置され、その上端部において、本体ケーシング２の上壁に固定されている。
【０１７６】
現像カートリッジ２２には、取っ手６３を収容する取っ手収容部１１２が形成されている。また、現像カートリッジ２２は、取っ手６３を上側へ付勢する付勢部材の一例としての圧縮ばね１１３を備えている。
【０１７７】
取っ手収容部１１２は、カートリッジフレーム６１の上端部において、上下方向に延びる側面視略矩形状に区画されている。
【０１７８】
そして、取っ手６３は、取っ手収容部１１２内に上下方向にスライド可能に収容されている。
【０１７９】
圧縮ばね１１３は、一端部が取っ手収容部１１２の底壁に接続され、他端部が取っ手６３の下端部に接続されている。これにより、取っ手６３は、常には、上側へ向かって付勢されている。
【０１８０】
第３実施形態では、図８に示すように、プロセスユニット１５が本体ケーシング２に装着されているときには、取っ手６３は、その上端部においてレール部材１１１の下端部に当接されており、レール部材１１１によって上側から押圧されている。
【０１８１】
これにより、取っ手６３は、圧縮ばね１１３の付勢力に抗して、その上端部が感光ドラム２０の上端部より下側に退避されるように、カートリッジフレーム６１の取っ手収容部１１２内に退避されている。
【０１８２】
そして、図９に示すように、プロセスユニット１５を本体ケーシング２から引き出すと、レール部材１１１と取っ手６３との当接が解除され、レール部材１１１による取っ手６３に対する押圧が解除される。
【０１８３】
すると、取っ手６３は、圧縮ばね１１３の付勢力により、その上端部が感光ドラム２０の上端部より上側に進出されるように、カートリッジフレーム６１の取っ手収容部１１２から進出される。
【０１８４】
第３実施形態によれば、図８および図９に示すように、取っ手６３は、プロセスユニット１５が本体ケーシング２に装着されているときに、感光ドラム２０の上端部より下側へ退避し、プロセスユニット１５が本体ケーシング２から引き出されているときに、感光ドラム２０の上端部より上側へ進出する。
【０１８５】
そのため、プロセスユニット１５を本体ケーシング２から引き出し、現像カートリッジ２２をプロセスユニット１５に対して着脱させるときには、感光ドラム２０の上端部より上側へ進出された取っ手６３を容易に把持することができる。
【０１８６】
その結果、現像カートリッジ２２の着脱動作を円滑に実施することができる。
【０１８７】
また、第３実施形態によれば、図８および図９に示すように、現像カートリッジ２２は、取っ手６３を上側へ付勢する圧縮ばね１１３を備え、本体ケーシング２は、プロセスユニット１５が本体ケーシング２に装着されているときに、取っ手６３に上側から当接されるレール部材１１１を備えている。
【０１８８】
そのため、プロセスユニット１５を本体ケーシング２に装着するときには、レール部材１１１を取っ手６３に上側から当接させて、圧縮ばね１１３の付勢力に抗して、取っ手６３を下側に退避されることができ、プロセスユニット１５を本体ケーシング２から引き出すときには、圧縮ばね１１３の付勢力により、取っ手６３を上側に進出されることができる。
【０１８９】
その結果、簡易な構成で、プロセスユニット１５の本体ケーシング２に対するスライドに、取っ手６３の進退を連動させることができる。
【０１９０】
また、第３実施形態においても、第１実施形態と同様の作用効果を得ることができる。
７．第４実施形態
図１０を参照して、プリンタ１の第４実施形態について説明する。なお、第４実施形態において、第１実施形態と同様の部材には同様の符号を付し、その説明を省略する。
【０１９１】
上記した第１実施形態では、本体ケーシング２の前端部にフロントカバー７を設け、プリンタ１を、フロントカバー７を開放してプロセスユニット１５を引き出すフロントアクセス可能なプリンタとして構成している。
【０１９２】
しかし、第４実施形態では、図１０に示すように、本体ケーシング２の上端部にトップカバー１２０を設け、トップカバー１２０を開放して各現像カートリッジ２２を本体ケーシング２に対して着脱する。
【０１９３】
詳しくは、本体ケーシング２には、その上壁と、後壁の上端部とにわたって、トップカバー１２０が設けられている。
【０１９４】
トップカバー１２０は、本体ケーシング２の後壁の途中（定着ユニット１８の後側）を支点として、揺動可能に形成され、図示しない支持機構により、ベルトユニット２６および定着ユニット１８を支持している。
【０１９５】
そして、トップカバー１２０は、本体ケーシング２の上端部すべてを開放するように、ベルトユニット２６および定着ユニット１８とともに揺動される。
【０１９６】
トップカバー１２０が開放されると、プロセスユニット１５の上端部が上側から露出され、各現像カートリッジ２２に上側からアクセス可能となる。
【０１９７】
そして、各現像カートリッジ２２を本体ケーシング２に対して着脱させるには、まず、トップカバー１２０を上側に向かって揺動させて、本体ケーシング２の上端部を開放する。次いで、開放された本体ケーシング２の上端部から、各現像カートリッジ２２を本体ケーシング２に対して着脱させる。
【０１９８】
第４実施形態においても、第１実施形態と同様の作用効果を得ることができる。
８．第５実施形態
図１１を参照して、プリンタ１の第５実施形態について説明する。なお、第５実施形態において、第１実施形態と同様の部材には同様の符号を付し、その説明を省略する。
【０１９９】
上記した第１実施形態では、プロセスユニット１５のドロワフレーム４１にドラムユニット４３を保持し、現像カートリッジ２２のみをプロセスユニット１５に対して着脱可能としたが、第５実施形態では、図１１に示すように、現像ユニット１３２とドラムユニット４３とを一体的に備えるプロセスカートリッジ１３１を、プロセスユニット１５に対して着脱可能とする。現像ユニット１３２は、第１実施形態の現像カートリッジ２２と同様に構成されている。
【０２００】
第５実施形態においても、第１実施形態と同様の作用効果を得ることができる。
【符号の説明】
【０２０１】
２      本体ケーシング
１５    プロセスユニット
１６    ＬＥＤユニット
２０    感光ドラム
２２    現像カートリッジ
２３    現像ローラ
３０    中間転写ベルト
４４    ベルトクリーニングユニット
４６    保持部材
５０    保持部材支持ボス
５２Ａ  直線部分
５２Ｂ  屈曲部分
６３    取っ手
７２    ＬＥＤアレイ
７５    ＬＥＤ位置決め部材
７７    ＬＥＤカバー
８０    駆動ギヤ
８１    干渉部
８２    入力ギヤ
８４    変位部材
１０１  係合部
１０２  被係合部
１０４  支持板
１０５  被覆部
１１１  レール部材
１１３  圧縮ばね
【図９】
0005545245.tif 000002
【図１０】
0005545245.tif 000003
【図１】
0005545245.tif 000004
【図２】
0005545245.tif 000005
【図３】
0005545245.tif 000006
【図４】
0005545245.tif 000007
【図５】
0005545245.tif 000008
【図６】
0005545245.tif 000009
【図７】
0005545245.tif 000010
【図８】
0005545245.tif 000011
【図１１】
0005545245.tif 000012